(57)【要約】      （修正有）【課題】不整地走行車両に適する回転式座席を提供する。【解決手段】座席支持部は、環状の凹部または通路２０および２２をそれぞれ有する上部１２および下部回転プレート１４を含む。下部プレート通路には１または複数の穴がある。複数のボールベアリングが上部および下部プレートの通路の間に配置される。各ボールベアリングの直径は、下部プレート通路の幅より大きい。結果として、それぞれのボールベアリングは下部通路の両側面の上に乗り、通路の底部との間には空間ができる。座席サポートは、複数の開口部と少なくとも１のワイパーをもつ環状のリテーナー１８も含む。それぞれの開口部は１のボールベアリングを受ける大きさであり、ワイパーはデブリを下部プレート凹部から、前記の下部プレート凹部にある１または複数の穴に導く形状をしている。【選択図】図２
2008213827.tif 000002
【特許請求の範囲】
【請求項１】
座席と、
上部および下部回転プレートを含み、それぞれの前記プレートには環状の凹部があり、前記下部プレートの凹部には１または複数の穴がある、前記座席のための支持部と、
前記上部おおよび下部プレートの凹部の間に置かれた複数のボールベアリングであって、前記ボールベアリングの直径は下部プレートの凹部の幅より大きく、それぞれの前記ボールベアリングは前記凹部の底部から離れている、複数のボールベアリングと、
複数の開口部とワイパーを持ち、それぞれの開口部は前記ボールベアリングの１を受ける大きさであり、前記ワイパーは前記下部プレートの凹部から前記下部プレートの凹部の穴にデブリを押しやる形状をしている、環状のリテーナーと
を含む、回転式座席アセンブリー。
【請求項２】
前記リテーナーの前記開口部が前記リテーナーに沿って等間隔に配置され、複数のワイパーは一対の開口部の間に配置されたワイパーという方法を採用する、請求項１に記載の回転式座席アセンブリー。
【請求項３】
それぞれの前記プレートの凹部が一般的に断面において半円であって、前記ワイパーが一般的に半円の形状をしている、請求項１に記載の回転プレートアセンブリー。
【請求項４】
下部プレートの凹部が複数の穴を持ち、それぞれの穴が細長いスロットを有する、請求項１に記載の回転プレートアセンブリー。
【請求項５】
前記スロットのそれぞれは前記株プレートの凹部の底部に位置する、請求項４に記載の回転プレートアセンブリー。
【発明の詳細な説明】
【技術分野】
【０００１】
本発明は、一般的には座席の設計に、特に回転式座席の設計に関連する。本発明にしたがって作成された回転式座席アセンブリーは、例えばトラック、土木機器、農業機器、そのほかの不整地走行用車両のような車両用の座席において、有利に使用することができる。
【背景技術】
【０００２】
現在、非常に様々な種類の回転式座席の設計が車両用の座席の分野で使用されている。そのような回転式座席の例がいくつかが、米国特許番号第５，４８２，３５４号、第５，５８４，４６０号、第５，５９９，０６５号、第５，７２０，４６２号、および第６，４４７，０６５号に示されている。これらの設計は、それが意図された応用事例では一般的に有用であるし、いくつかは実質的に商業的に受け入れられたが、それにも拘らず、これらの設計はすべて、泥およびデブリが回転アセンブリー内部に集まって、時間とともに、座席の回転機能に対してよくない影響を及ぼすという欠点を持っている。最も典型的には、泥は回転アセンブリーの下部の通路または軌道に集まって、回転ベアリングアセンブリーが円滑に機能することを困難にする。極端な例では、泥とデブリが積層して、回転機能が完全に失われることもある。先行技術の設計では、座席の本来の回転機能を回復する唯一の方法は、回転機構を分解してベアリングアセンブリーを清掃することである。しかしながら、一端座席が使用され始めると、時間と費用がかかることから必要な修理を行うことは難しい。
【０００３】
したがって、繰り返し生じる問題点を克服する自浄式回転式座席を導入することが強く求められている。本発明は、まさにそのような設計に向けられている。
【発明の開示】
【０００４】
本発明は、座席と座席支持部を含む回転式座席アセンブリーに向けられる。座席支持部は、環状の凹部または通路をそれぞれ有する上部および下部回転プレートを含む。下部プレート通路には１または複数の穴がある。複数のボールベアリングが上部および下部プレートの通路の間に配置される。各ボールベアリングの直径は、下部プレート通路の幅より大きい。結果として、それぞれのボールベアリングは下部通路の両側面の上に乗り、通路の底部との間には空間ができる。座席サポートは、複数の開口部と少なくとも１のワイパーをもつ環状のリテーナーも含む。それぞれの開口部は１のボールベアリングを受ける大きさであり、ワイパーはデブリを下部プレート凹部から、前記の下部プレート凹部にある１または複数の穴に導く形状をしている。
【０００５】
本発明の設計によって自浄機能を達成することができる。通常使用において座席が回転すると、ベアリングは下部通路上を転がるため、下部通路に対して相対的に移動する。ベアリングはリテーナー開口部の内側に位置するため、ベアリングはリテーナーを下部通路に対して移動させる働きもする。同様に、ワイパー（これはリテーナーの一部を構成する）を下部通路との相対的位置関係において移動させ、下部通路に集められた泥またはデブリを下部通路の穴に掃き集めあるいは押しやり、これによって、下部通路を比較的泥のない状態に維持し、ベアリングがプレート通路の中で自由に転がることができるようにする。
【０００６】
本発明の特徴である新規性のある性質は付属の請求項で説明する。しかしながら、本発明の好ましい実施態様と、さらなる目的、関連する利点は、添付の図面と関連する詳細な説明を参照することによって最もよく理解されうる。
【０００７】
図によれば、回転アセンブリー１０は上部プレート１２と下部プレート１４を有することが示されている。これらのプレートは、複数のベアリング１６と１のリテーナー１８を支持し内蔵して、アセンブリー１０は前記の２のプレートの間での相対的に回転する機能を有し、アセンブリーにとり付けられた座席が容易に回転できるようにする。
【０００８】
プレート１２および１４のそれぞれは、環状の凹部または通路２０および２２を備えるように形成され、これはベアリング１６の案内溝を構成する。先行技術では、通常、通路の半径とベアリングの半径は合致する。図４に示した本発明の好ましい実施態様では、下部通路２２の幅は「X」であって、これはベアリング１６の直径「Y」よりも小さい。言い換えれば、通路の半径はベアリングの半径より小さい。その結果、ベアリング１６は下部通路２２の肩にのっていて通路の底部意図の間には空間がある。一例を挙げれば、ベアリングの直径が９／１６インチである場合に、下部通路またはボール通路の幅は１０ミリメートルないし１２ミリメートルである。
【０００９】
図に示された好ましい実施態様では、下部通路２２には１の穴、より好ましくは複数の穴２４も設けられている。好ましくは、穴は通路２２の底部において、あるいは底部のそばに置かれることによって、ベアリングが下部プレート１４に対して相対的に移動する場合に、その回転運動を妨害しない。穴は円形でも長方形でもよく、好ましくは細長いスロットであってもよい。さらに、一例として、穴は３×10ミリメートルの大きさの複数のスロットであって、通路２２に沿って等しい間隔で配置されていてもよい。好ましくは、１２の等間隔で配置された穴が使用されてもよい。
【００１０】
ベアリングとプレートに加えて、回転アセンブリーは、ベアリング１６を受ける大きさであり、ベアリングを通路２０と２２の上に沿って固定された間隔で維持する複数の開口部２６を持つ、リテーナー１８も含む。好ましくは、リテーナー１８は環状であって一般的にはフラットな輪の形態をとり、１または複数のつり下げられたワイパー２８を有している。最も好ましくは、リテーナー１８は複数のワイパーを間隔を開けてその円周上にもち、それぞれのワイパー２８は、下部通路２２の内部の形状にぴったりと一致するような大きさと形状をしている。
【００１１】
図示した好ましい実施態様に従うと、回転アセンブリーが行う作用は図５に一般的に示さる。座席が回転すると、矢印「Ａ」と「Ｂ」によって示されるように、プレート２０と２２は相互の相対的位置関係において移動する。これによって、今度は、ベアリング１６が矢印「Ｃ」で示される方向に回転し、ベアリングは通路２２上を回転することによってベアリングがリテーナー１８を押し、上部および下部通路双方に対して移動する。重要な点は、リテーナーが下部通路に対して移動することによって、ワイパー２８が下部通路に対してスイープ行動を行い、これによって、下部通路に集められていた可能性のある泥およびデブリを下部通路の穴２６に押しやって、通路から外に排出することである。これによって、効率的に通常の回転操作中に通路２２を自浄し、回転アセンブリーがより非効率的になりまたは時間経過のために故障する可能性を減少させる。
【００１２】
本発明の精神から離れることなく、好ましい実施態様に対して様々な変更または改造を加えることができることは、当業者にとって明らかである。例えば、通路２０および２２は円形の断面である必要はなく、リテーナーは一体型として成型される必要もない。すべてのかかる変更または改造は、付属の請求項によって保護される。
【図面の簡単な説明】
【００１３】
【図１】伝統的な回転式座席サポート斜視図である（内部機構については図示していない）。
【図２】本発明のある実施態様にしたがって作成された内部構造を示す、図１の実施態様の分解斜視図である。
【図３】図２の好ましい実施態様をより明瞭に表す拡大した部分斜視図である。
【図４】図１の４−４の線に沿った、拡大断面図である。
【図５】図４の５−５の線に沿った断面図であって、好ましい実施態様の自浄機能が行われる様子を示す図である。
【図１】
2008213827.tif 000003
【図２】
2008213827.tif 000004
【図３】
2008213827.tif 000005
【図４】
2008213827.tif 000006
【図５】
2008213827.tif 000007
【外国語明細書】
2008213827.tif 000008
2008213827.tif 000009
2008213827.tif 000010
2008213827.tif 000011
2008213827.tif 000012
2008213827.tif 000013
2008213827.tif 000014
2008213827.tif 000015
2008213827.tif 000016
2008213827.tif 000017
2008213827.tif 000018
2008213827.tif 000019
2008213827.tif 000020
2008213827.tif 000021
2008213827.tif 000022